(57)【要約】【課題】複数のデータ機器からのデータの取得を容易化すること。【解決手段】インタフェース部（１１）は、複数のデータ機器（１１０）から出力されるデータを受信する。データ選択部（１２）は、予め設定された規則に従って、複数のデータ機器（１１０）から受信したデータのうち、１のデータ機器（１１０）から出力されたデータを選択する。データ出力部（１３）は、選択されたデータを出力する。【選択図】            図１
2004349800.tif 000002
【特許請求の範囲】
【請求項１】
複数のデータ機器からデータを受信するデータ受信手段と、予め設定された規則に従って、前記データ受信手段により受信されたデータのうち、１のデータ機器から出力されたデータを選択するデータ選択手段と、
当該データ選択手段により選択されたデータを出力するデータ出力手段と、
を有することを特徴とするデータ機器統合装置。
【請求項２】
予め設定された規則に従って、前記データ受信手段により受信されたデータを変更するデータ変更手段をさらに有し、
前記データ出力手段は、前記データ変更手段により変更されたデータを出力することを特徴とする請求項１に記載のデータ機器統合装置。
【請求項３】
予め設定された規則に従って、前記データ機器に対してデータを変更させるための命令を送信するデータ変更命令送信手段と、
当該データ変更命令送信手段の命令に応じて変更されたデータを前記データ機器から受信する変更後データ受信手段とをさらに有し、
前記データ出力手段は、前記変更後データ受信手段により受信されたデータを出力することを特徴とする請求項１に記載のデータ機器統合装置。
【請求項４】
前記データ選択手段は、予め設定された優先度が最も高いデータ機器から出力されたデータを選択することを特徴とする請求項１〜３のいずれかに記載のデータ機器統合装置。
【請求項５】
複数のデータ機器からデータを受信するデータ受信手段と、予め設定された規則に従って、前記データ受信手段によって受信された各データ機器からのデータ毎の提示態様を決定する提示態様決定手段と、
当該提示態様決定手段により決定された提示態様に従って、前記データ受信手段によって受信されたデータを出力するデータ出力手段と、
を有することを特徴とするデータ機器統合装置。
【請求項６】
前記データ出力手段は、前記提示態様決定手段により決定された提示態様に従って、前記データ受信手段によって受信されたデータを変更するデータ変更手段を備えることを特徴とする請求項５に記載のデータ機器統合装置。
【請求項７】
前記データ出力手段は、
前記提示態様決定手段により決定された提示態様に従って、前記データ機器に対し、データを変更させるための命令を送信するデータ変更命令送信手段と、
当該データ変更命令送信手段の命令に応じて変更されたデータを前記データ機器から受信する変更後データ受信手段と、
を備えることを特徴とする請求項５に記載のデータ機器統合装置。
【請求項８】
前記提示態様決定手段は、前記データ機器毎に予め設定された優先度に基づいて、前記データ受信手段によって受信された各データ機器からのデータ毎の優先順位を認識し、前記各データ機器の各優先順位について予め設定された提示態様に基づいて、前記データ毎の提示態様を決定することを特徴とする請求項５〜７のいずれかに記載のデータ機器統合装置。
【請求項９】
前記提示態様は、画像の大きさと表示順番とを含むことを特徴とする請求項５〜８のいずれかに記載のデータ機器統合装置。
【請求項１０】
前記提示態様は、音声の大きさを含むことを特徴とする請求項５〜９のいずれかに記載のデータ機器統合装置。
【請求項１１】
予め設定された規則に従って、前記データ受信手段により受信されたデータに応じて、前記データ機器に対して動作命令を送信する動作命令送信手段をさらに有することを特徴とする請求項１〜１０のいずれかに記載のデータ機器統合装置。
【請求項１２】
前記データ機器に対する操作命令または入力データを受け付ける入力受付手段と、
当該入力受付手段により受け付けられた操作命令または入力データを前記データ機器に送信する送信手段と、
をさらに有することを特徴とする請求項１〜１１のいずれかに記載のデータ機器統合装置。
【請求項１３】
複数のデータ機器に対する操作命令または入力データを受け付ける入力受付手段と、
当該入力受付手段により受け付けられた操作命令または入力データを前記データ機器に送信する送信手段と、
を有することを特徴とするデータ機器統合装置。
【請求項１４】
予め設定された規則に従って、前記入力受付手段により受け付けられた入力データを変更する入力データ変更手段をさらに有し、
前記送信手段は、前記入力データ変更手段により変更されたデータを送信することを特徴とする請求項１３に記載のデータ機器統合装置。
【請求項１５】
予め設定された規則に従って、前記データ機器に対して前記入力データを変更させるための命令を送信する入力データ変更命令送信部をさらに有することを特徴とする請求項１３に記載のデータ機器統合装置。
【請求項１６】
予め設定された規則に従って、前記入力受付手段により受け付けられた入力データに応じて、前記データ機器に対して動作命令を送信する動作命令送信手段をさらに有することを特徴とする請求項１２〜１５のいずれかに記載のデータ機器統合装置。
【発明の詳細な説明】
【０００１】
【発明の属する技術分野】
本発明は、携帯型テープ再生器等の複数のデータ機器を統合するデータ機器統合装置に関する。
【０００２】
【従来の技術】
従来より、携帯型テープ再生器、携帯型ＤＶＤ再生器、携帯電話等のデータ機器が存在する。使用者は、これらのデータ機器を持ち運ぶことにより、屋外においても当該データ機器を使用し、データを受け取ることができる。
【０００３】
【発明が解決しようとする課題】
しかし、上記データ機器には、以下の問題がある。
【０００４】
例えば、携帯型テープ再生器で音楽を聞いている最中に携帯電話に電話がかかってきた場合、ユーザには、音楽を止めるという携帯型テープ再生器に対する操作と、電話に出るという携帯電話に対する操作とが要求される。すなわち、複数のデータ機器からのデータの取得が容易でない。
【０００５】
また、データ機器の操作部は、データ機器毎に別々に設けられているので、複数のデータ機器を携帯しているユーザは、複数の操作部をそれぞれ操作しなければならない。すなわち、複数のデータ機器の操作が煩雑である。
【０００６】
本発明は上記問題点に鑑みなされたものであり、その目的は、複数のデータ機器からのデータの取得を容易化することができるデータ機器統合装置を提供することである。
【０００７】
また、他の目的は、複数のデータ機器の操作を容易化することができるデータ機器統合装置を提供することである。
【０００８】
【課題を解決するための手段】
上記した課題を解決し、目的を達成するための第１の発明は、複数のデータ機器からデータを受信するデータ受信手段と、予め設定された規則に従って、前記データ受信手段により受信されたデータのうち、１のデータ機器から出力されたデータを選択するデータ選択手段と、当該データ選択手段により選択されたデータを出力するデータ出力手段と、を有するデータ機器統合装置である。
【０００９】
また、第２の発明は、第１の発明において、予め設定された規則に従って、前記データ受信手段により受信されたデータを変更するデータ変更手段をさらに有し、前記データ出力手段は、前記データ変更手段により変更されたデータを出力するものである。
【００１０】
また、第３の発明は、第１の発明において、予め設定された規則に従って、前記データ機器に対してデータを変更させるための命令を送信するデータ変更命令送信手段と、当該データ変更命令送信手段の命令に応じて変更されたデータを前記データ機器から受信する変更後データ受信手段とをさらに有し、前記データ出力手段は、前記変更後データ受信手段により受信されたデータを出力するものである。
【００１１】
また、第４の発明は、第１〜３のいずれかの発明において、前記データ選択手段は、予め設定された優先度が最も高いデータ機器から出力されたデータを選択するものである。
【００１２】
また、第５の発明は、複数のデータ機器からデータを受信するデータ受信手段と、予め設定された規則に従って、前記データ受信手段によって受信された各データ機器からのデータ毎の提示態様を決定する提示態様決定手段と、当該提示態様決定手段により決定された提示態様に従って、前記データ受信手段によって受信されたデータを出力するデータ出力手段と、を有するデータ機器統合装置である。
【００１３】
また、第６の発明は、第５の発明において、前記データ出力手段は、前記提示態様決定手段により決定された提示態様に従って、前記データ受信手段によって受信されたデータを変更するデータ変更手段を備えるものである。
【００１４】
また、第７の発明は、第５の発明において、前記データ出力手段は、前記提示態様決定手段により決定された提示態様に従って、前記データ機器に対し、データを変更させるための命令を送信するデータ変更命令送信手段と、当該データ変更命令送信手段の命令に応じて変更されたデータを前記データ機器から受信する変更後データ受信手段と、を備えるものである。
【００１５】
また、第８の発明は、第５〜７のいずれかの発明において、前記提示態様決定手段は、前記データ機器毎に予め設定された優先度に基づいて、前記データ受信手段によって受信された各データ機器からのデータ毎の優先順位を認識し、前記各データ機器の各優先順位について予め設定された提示態様に基づいて、前記データ毎の提示態様を決定するものである。
【００１６】
また、第９の発明は、第５〜８のいずれかの発明において、前記提示態様は、画像の大きさと表示順番とを含むものである。
【００１７】
また、第１０の発明は、第５〜９のいずれかの発明において、前記提示態様は、音声の大きさを含むものである。
【００１８】
また、第１１の発明は、第１〜１０のいずれかの発明において、予め設定された規則に従って、前記データ受信手段により受信されたデータに応じて、前記データ機器に対して動作命令を送信する動作命令送信手段をさらに有するものである。
【００１９】
また、第１２の発明は、第１〜１１のいずれかの発明において、前記データ機器に対する操作命令または入力データを受け付ける入力受付手段と、当該入力受付手段により受け付けられた操作命令または入力データを前記データ機器に送信する送信手段と、をさらに有するものである。
【００２０】
また、第１３の発明は、複数のデータ機器に対する操作命令または入力データを受け付ける入力受付手段と、当該入力受付手段により受け付けられた操作命令または入力データを前記データ機器に送信する送信手段と、を有するデータ機器統合装置である。
【００２１】
また、第１４の発明は、第１３の発明において、予め設定された規則に従って、前記入力受付手段により受け付けられた入力データを変更する入力データ変更手段をさらに有し、前記送信手段は、前記入力データ変更手段により変更されたデータを送信するものである。
【００２２】
また、第１５の発明は、第１３の発明において、予め設定された規則に従って、前記データ機器に対して前記入力データを変更させるための命令を送信する入力データ変更命令送信部をさらに有するものである。
【００２３】
また、第１６の発明は、第１２〜１５のいずれかの発明において、予め設定された規則に従って、前記入力受付手段により受け付けられた入力データに応じて、前記データ機器に対して動作命令を送信する動作命令送信手段をさらに有するものである。
【００２４】
【発明の実施の形態】
以下に添付図面を参照して、本発明に係るデータ機器統合装置についての好適な実施形態を第１の実施形態から第１０の実施形態に分けて詳細に説明する。
【００２５】
（第１の実施形態）
図１は、本実施形態に係るデータ機器統合装置１を含むデータ機器統合システムの全体構成を示すブロック図である。図１において、データ機器統合システムは、データ機器統合装置１と、複数のデータ機器１１０とを有する。本実施形態では、複数のデータ機器１１０は、携帯電話１１１および携帯テープ再生器１１２であり、データ機器統合装置１に接続されている。データ機器統合装置１は、データ機器１１０から受信したデータのうち、１のデータ機器１１０から出力されたデータを選択し、出力するものである。
【００２６】
データ機器統合装置１は、インタフェース部１１、データ選択部１２、およびデータ出力部１３を有する。インタフェース部１１は、複数のデータ機器１１０からデータを受信する。データ選択部１２は、予め設定された規則に従って、インタフェース部１１により受信されたデータのうち、１のデータ機器１１０から出力されたデータを選択する。データ出力部１３は、イヤホンを備えており、データ選択部１２により選択されたデータに対応する音声を出力する。
【００２７】
ここで、本実施形態では、インタフェース部１１には、データ入力端子１１ａ、１１ｂが設けられている。そして、予め、データ入力端子１１ａには優先度「１」が設定されており、データ入力端子１１ｂには優先度「２」が設定されている。これにより、どのデータ入力端子１１ａ、１１ｂに接続されるかによって、データ機器１１０の優先度が設定されることとなる。図１では、データ入力端子１１ａ、１１ｂには、それぞれ、携帯電話１１１、携帯テープ再生器１１２が接続されているので、携帯電話１１１の優先度は「１」、携帯テープ再生器１１２の優先度は「２」となっている。なお、優先度の値が小さいほど優先度が高いものとし、これは他の実施形態においても同じである。
【００２８】
以下、上記構成を有するデータ機器統合装置１の動作について説明する。データ機器１１０がデータを出力すると、インタフェース部１１は、当該データを受信し、受信したデータをデータ選択部１２に出力する。データ選択部１２は、どのデータ入力端子１１ａ、１１ｂから受信されたかによって、どのデータ機器１１０から出力されたデータであるかを判別する。そして、優先度が最も高いデータ機器１１０から出力されたデータを選択し、選択されたデータをデータ出力部１３に出力する。データ出力部１３は、データ選択部１２から受け取ったデータに対応する音声を発する。
【００２９】
したがって、携帯テープ再生器１１２で音楽再生中に携帯電話１１１に着信があると、優先度が最も高い携帯電話１１１からのデータが選択され、データ出力部１３から出力されるデータは、音楽から着信音に切り替わる。
【００３０】
以上のとおり、本実施形態に係るデータ機器統合装置１によれば、複数のデータ機器１１０から出力されたデータのうち、１のデータ機器１１０から出力されたデータが自動的に選択されるので、データを選択するためのユーザの動作が省略される。すなわち、複数のデータ機器１１０からのデータの取得を容易化することができる。特に、データ機器１１０毎に優先度を予め設定し、優先度が最も高いデータ機器１１０から出力されたデータを選択することとしているので、簡易な構成により、ユーザの要望の高い情報を提示することができる。この結果、要望の高い情報の到来に備えて要望の低い情報を得る行動を抑制する必要がなくなり、ユーザは、より効率的かつ自由に情報を取得することができる。
【００３１】
また、どのデータ入力端子１１ａ、１１ｂに接続するかによって、データ機器１１０の優先度が設定されるので、データ機器１１０に対する優先度の設定が簡易な構成で実現され、ユーザは、優先度を容易に設定することができる。
【００３２】
さらに、本実施形態によれば、複数のデータ機器１１０から出力されるデータを単一の装置に集約してユーザに提示することが可能となる。
【００３３】
なお、どのデータ機器１１０から出力されたデータであるかを判別する方法は、本実施形態のものに限られず、他の方法であってもよい。例えば、データ信号を解析することによってデータ機器１１０を判別することができる。この場合、各データ機器１１０と優先度との対を予めデータ選択部１２に記憶させておけばよい。また、データ機器統合装置１と各データ機器１１０とが、事前に所定の信号をやりとりすることによって、相互に認識しあうこととしてもよい。
【００３４】
また、データ機器統合装置１とデータ機器１１０との接続方式は、有線に限られず、無線であってもよい。
【００３５】
また、データの選択に用いられる規則は、１のデータ機器１１０からのデータを選択することができれば、他の規則であってもよく、必ずしもデータ機器１１０毎に優先度が設定される必要はない。
【００３６】
（第２の実施形態）
本実施形態に係るデータ機器統合装置は、上記第１の実施形態に係るデータ機器統合装置とほとんど同じであるが、受信されたデータを変更するデータ変更部をさらに有することを特徴とするものである。以下、図面を用いて本実施形態について説明するが、第１の実施形態と共通する部分については説明を省略する。
【００３７】
図２は、本実施形態に係るデータ機器統合装置２を含むデータ機器統合システムの全体構成を示すブロック図である。図２において、データ機器統合システムは、データ機器統合装置２と、複数のデータ機器１２０とを有する。本実施形態では、データ機器１２０は、携帯テレビ電話１２１および携帯テレビ１２２であり、データ機器統合装置２に接続されている。
【００３８】
データ機器統合装置２は、インタフェース部２１、データ選択部２２、データ出力部２３の他に、データ変更部２４をさらに有する。本実施形態では、データ出力部２３は、モニタおよびイヤホンを備えている。
【００３９】
データ変更部２４は、予め設定された規則に従って、インタフェース部２１により受信されたデータを変更し、変更後のデータをデータ出力部２３に出力するものである。ここで、上記の規則としては、「画像データを所定のサイズに変更する。」、「音声データを所定の音量に変更する。」等の規則が挙げられるが、特に限定されない。ここで、所定のサイズとしてデータ出力部２３のモニタの画面サイズを設定しておけば、ユーザは、データ機器１２０から出力された画像データのサイズに関わらず、常に最大サイズで画像を見ることができる。
【００４０】
本実施形態に係るデータ機器統合装置２によれば、データ機器１２０により出力されたデータは、データ変更部２４によって自動的に変更される。この結果、ユーザのデータ変更に関する操作を減らすことが可能となる。
【００４１】
なお、データ変更部２４は、インタフェース部２１とデータ選択部２２との間に設けられてもよい。すなわち、データ変更後にデータの選択が行われることとしてもよい。
【００４２】
（第３の実施形態）
本実施形態に係るデータ機器統合装置は、上記第２の実施形態に係るデータ機器統合装置とほとんど同じであるが、データの変更をデータ機器にさせることを特徴とするものである。以下、図面を用いて本実施形態について説明するが、第２の実施形態と共通する部分については説明を省略する。
【００４３】
図３は、本実施形態に係るデータ機器統合装置３を含むデータ機器統合システムの全体構成を示すブロック図である。図３において、データ機器統合システムは、データ機器統合装置３と、複数のデータ機器１３１、１３２とを有する。
【００４４】
データ機器統合装置３は、インタフェース部３１、データ選択部３２、データ出力部３３の他に、データ変更命令送信部３５をさらに有する。ここで、データ変更命令送信部３５は、予め設定された規則に従って、データ機器１３１、１３２に対してデータを変更させるための命令（以下、データ変更命令と称す）を生成し、送信するものである。本実施形態では、インタフェース部３１は、データ変更命令に応じて変更されたデータをデータ機器１３１、１３２から受信する変更後データ受信手段としても機能する。
【００４５】
以下、上記構成を有するデータ機器統合装置３の動作について説明する。データ選択部３２によって選択されたデータは、データ変更命令送信部３５に出力される。データ変更命令送信部３５は、予め設定された規則に従って、データ選択部３２から受けたデータについてデータの変更が必要か否かを判断する。判断の結果、データ変更の必要がない場合には、当該データをデータ出力部３３に出力する。一方、データ変更の必要がある場合には、予め設定された規則に従って、データ変更命令を生成し、このデータ変更命令をインタフェース部３１を介してデータ機器１３１または１３２に送信する。具体的には、例えば、データ選択部３２によって選択されたデータ機器１３１の画像データが所定の画面サイズの１／２倍であった場合、「画面サイズを２倍に拡大する」旨のデータ変更命令を生成し、このデータ変更命令をデータ機器１３１に送信する。
【００４６】
このデータ変更命令を受信したデータ機器１３１は、データ変更命令に従ってデータを変更し、変更後のデータをインタフェース部３１に送信する。インタフェース部３１は、データ選択部３２、データ変更命令送信部３５を介して、変更後のデータをデータ出力部３３に出力する。
【００４７】
ここで、データ機器１３１、１３２には、データ変更命令を受信する機能、データ変更命令に従ってデータを変更する機能、および変更後のデータを送信する機能が必要とされるが、これらの機能は既存のものであってもよいし、特別に設けられたものであってもよい。
【００４８】
以上のとおり、本実施形態に係るデータ機器統合装置３によれば、データの変更をデータ機器１３１、１３２に実行させるので、データ機器統合装置３側でデータ変更を行う必要がなくなり、データ機器統合装置３の構成の簡易化、処理および消費電力の削減を図ることができる。
【００４９】
なお、データ変更命令送信部３５は、インタフェース部３１とデータ選択部３２との間に設けられていてもよい。すなわち、データ変更後にデータの選択が行われることとしてもよい。
【００５０】
また、データ変更命令が、インタフェース部３１により受信されたデータ機器１３１、１３２のデータを含み、データ機器１３１、１３２がデータ変更命令に含まれる当該データを変更することとしてもよい。
【００５１】
（第４の実施形態）
図４は、本実施形態に係るデータ機器統合装置４を含むデータ機器統合システムの全体構成を示すブロック図である。図４において、データ機器統合システムは、データ機器統合装置４と、複数のデータ機器１４０とを有する。本実施形態では、複数のデータ機器１４０は、携帯テレビ電話１４１、携帯テレビ１４２、および携帯メール端末１４３である。
【００５２】
データ機器統合装置４は、インタフェース部４１、提示態様決定部４６、およびデータ出力部４３を有する。インタフェース部４１は、複数のデータ機器１４０からデータを受信する。提示態様決定部４６は、予め設定された規則に従って、インタフェース部４１によって受信された各データ機器１４０からのデータ毎の提示態様を決定する。データ出力部４３は、提示態様決定部４６により決定された提示態様に従って、インタフェース部４１によって受信されたデータを出力する。ここで、データ出力部４３は、モニタおよびイヤホンの他に、データ変更部４３ａを備えている。このデータ変更部４３ａは、提示態様決定部４６により決定された提示態様に従って、インタフェース部４１によって受信されたデータを必要に応じて変更するものである。
【００５３】
図５は、本実施形態において提示態様決定部４６により用いられる規則を示す図である。図５において、各データ機器１４０に対して優先度が設定されている。また、データ機器１４０毎に、優先順位に対応する提示態様が設定されている。本実施形態では、提示態様は、画面サイズ、表示タイミング、および表示順位からなる。なお、携帯メール端末１４３の個人からの着信に対しては優先度が設定されておらず、個人からの着信は、常に、即時に最前面に表示される設定となっている。
【００５４】
図６は、各データ機器１４０のデータ出力の時間推移を示す図である。図６において、横軸は時間を表し、縦軸はデータ機器１４０を示す。横軸方向の実線は、データ機器１４０によりデータが出力され、かつ、当該データがデータ出力部４３のモニタに表示されている期間を示す。横軸方向の破線は、データ機器１４０によりデータが出力されているが、当該データがデータ出力部４３のモニタに表示されていない期間を示す。
【００５５】
以下、図５、６を用いて、データ機器統合装置４の動作について説明する。
図６の時刻Ａでは、データ機器統合装置４には、携帯テレビ１４２のデータのみが入力されている。このとき、提示態様決定部４６は、図５の規則に従って、携帯テレビ１４２のデータの優先順位が１番であると認識する。そして、携帯テレビ１４２のデータの提示態様として、画面サイズは「６４０×４８０」、表示タイミングは「即時」、表示順位は「最背面」、との態様を決定する。決定された提示態様は、携帯テレビ１４２のデータとともに、データ出力部４３に出力される。データ出力部４３は、提示態様決定部４６から受けたデータの画面サイズが「６４０×４８０」以外であれば、内部のデータ変更部４３ａによって画面サイズを「６４０×４８０」に変更する。そして、図７に示されるとおり、画面サイズ「６４０×４８０」の携帯テレビ１４２の動画１４２ａを、即時に、最背面に表示する。
【００５６】
図６の時刻Ｂでは、携帯テレビ電話１４１に着信があり、データ機器統合装置４には、携帯テレビ電話１４１および携帯テレビ１４２のデータが入力される。このとき、提示態様決定部４６は、図５の規則に従って、携帯テレビ電話１４１の優先度は「１」であり、携帯テレビ１４２の優先度は「２」であるので、携帯テレビ電話１４１のデータの優先順位が１番であり、携帯テレビ１４２のデータの優先順位が２番であると認識する。そして、携帯テレビ電話１４１のデータの提示態様として、画面サイズは「６４０×４８０」、表示タイミングは「即時」、表示順位は「最背面」、との態様を決定する。また、携帯テレビ１４２のデータの提示態様として、画面サイズは「１６０×１２０」、表示タイミングは「即時」、表示順位は「最背面より１つ前面」、との態様を決定する。決定された提示態様は、携帯テレビ電話１４１および携帯テレビ１４２のデータとともに、データ出力部４３に出力される。データ出力部４３は、決定された提示態様に従って、必要に応じて、内部のデータ変更部４３ａによりデータの画面サイズを変更する。そして、図８に示されるとおり、画面サイズ「６４０×４８０」の携帯テレビ電話１４１の動画１４１ａを即時に最背面に表示し、画面サイズ「１６０×１２０」の携帯テレビ１４２の動画１４２ｂを即時に最背面より１つ前面に表示する。
【００５７】
ここでは、縮小することによって画面サイズを小さくすることとしているが、画面サイズは他の方式によって小さくされてもよい。例えば、画面の一部表示、文字列の行数や列数の削減、画像に透過性をつける、などの方式がある。また、各画面の配置も、図８のものに限定されない。
【００５８】
図６の時刻Ｃでは、携帯メール端末１４３に、個人からのメールの着信があり、データ機器統合装置４には、携帯テレビ電話１４１および携帯テレビ１４２のデータに加えて、携帯メール端末１４３の個人からの着信のデータが入力される。携帯メール端末１４３の個人からのメール着信データに対応する個人メール着信画面１４３ａは、図５の規則に従って、図９に示されるとおり、「即時」に、「固定」の画面サイズで、「最前面」に、表示される。
【００５９】
図６の時刻Ｄでは、メールの着信データが途絶えるため、個人メール着信画面１４３ａが消え、データ出力部４３のモニタの表示は図８に戻る。
【００６０】
図６の時刻Ｅでは、携帯メール端末１４３に、メーリングリスト（以下、ＭＬと称す）からのメールの着信があり、データ機器統合装置４には、携帯テレビ電話１４１および携帯テレビ１４２のデータに加えて、携帯メール端末１４３のＭＬからの着信のデータが入力される。このとき、図５の規則によれば、携帯メール端末１４３のＭＬからの着信データの優先順位は３番となる。また、表示タイミングは、「優先順位が３番以下の場合は、優先順位が２番以上になった時点」となっている。したがって、ＭＬからの着信データは、優先順位が２番以上になるまでデータ出力部４３のモニタに表示されない。このため、データ出力部４３のモニタの表示は図８のままである。
【００６１】
図６の時刻Ｆでは、携帯テレビ電話１４１の通話が終了し、データ機器統合装置４に入力されるデータは、携帯テレビ１４２のデータと、携帯メール端末１４３のＭＬからの着信データとになる。すると、携帯メール端末１４３のＭＬからの着信データの優先順位が２番となるため、図１０に示されるとおり、ＭＬメール着信画面１４３ｂが、「固定」の画面サイズで、「最前面」に、表示される。
【００６２】
以上のとおり、本実施形態に係るデータ機器統合装置４によれば、複数のデータ機器１４０のデータは、予め設定された規則に従った提示態様で出力されるので、ユーザの操作が容易化される。特に、優先順位に応じた提示態様で出力されるので、ユーザは、優先順位に応じた提示態様で複数のデータ機器１４０からのデータを取得することができる。
【００６３】
また、複数の画像データを重ねて表示するので、ユーザは、最重要な情報を見つつ、その他の情報も閲覧することができる。
【００６４】
また、優先順位に応じて画像データの大きさを変更するので、ユーザは、優先順位に応じた情報量を取得することができる。
【００６５】
（第５の実施形態）
本実施形態に係るデータ機器統合装置は、上記第４の実施形態に係るデータ機器統合装置とほとんど同じであるが、提示態様決定部によって決定される提示態様が音量および出力タイミングであることを特徴とするものである。以下、図面を用いて本実施形態について説明するが、第４の実施形態と共通する部分については説明を省略する。
【００６６】
本実施形態に係るデータ機器統合装置を含むデータ機器統合システムの全体構成は、上記第４の実施形態と同様であるので、説明を省略するとともに、同一の符号を用いることとする。
【００６７】
図１１は、本実施形態において提示態様決定部４６により用いられる規則を示す図である。図１１に示される規則は、図５に示されるものとほとんど同じであるが、対象となる提示態様が音量と出力タイミングとからなる点で異なる。なお、携帯メール端末１４３については、個人からの着信に対しては優先度が設定されておらず、個人からの着信は、常に、即時に固定の音量「７」で出力される設定となっている。
【００６８】
図１２は、各データ機器１４０のデータ出力の時間推移を示す図である。図１２において、横軸は時間を表し、縦軸はデータ機器１４０を示す。横軸方向の実線は、データ機器１４０によりデータが出力され、かつ、当該データがデータ出力部４３のイヤホンから発せられている期間を示す。横軸方向の破線は、データ機器１４０によりデータが出力されているが、当該データがデータ出力部４３のイヤホンから発せられていない期間を示す。
【００６９】
以下、図１１、１２を用いて、本実施形態におけるデータ機器統合装置４の動作について説明する。
【００７０】
図１２の時刻Ａでは、データ機器統合装置４には、携帯テレビ１４２のデータのみが入力されている。このとき、提示態様決定部４６は、図１１の規則に従って、携帯テレビ１４２のデータの優先順位が１番であると認識する。そして、携帯テレビ１４２のデータの提示態様として、音量は「１０」、出力タイミングは「即時」、との態様を決定する。決定された提示態様は、携帯テレビ１４２のデータとともに、データ出力部４３に出力される。データ出力部４３は、提示態様決定部４６から受けたデータの音量が「１０」以外であれば、内部のデータ変更部４３ａによって音量を「１０」に変更する。そして、携帯テレビ１４２の音声データを、即時に、音量「１０」でイヤホンから発する。
【００７１】
図１２の時刻Ｂでは、携帯テレビ電話１４１に着信があり、データ機器統合装置４には、携帯テレビ電話１４１および携帯テレビ１４２のデータが入力される。このとき、提示態様決定部４６は、図１１の規則に従って、携帯テレビ電話１４１のデータの優先順位が１番であり、携帯テレビ１４２のデータの優先順位が２番であると認識する。そして、携帯テレビ電話１４１のデータの提示態様として、音量は「１０」、出力タイミングは「即時」、との態様を決定する。また、携帯テレビ１４２のデータの提示態様として、音量は「３」、出力タイミングは「即時」、との態様を決定する。決定された提示態様は、携帯テレビ電話１４１および携帯テレビ１４２のデータとともに、データ出力部４３に出力される。データ出力部４３は、決定された提示態様に従って、必要に応じて、内部のデータ変更部４３ａによりデータの音量を変更する。そして、携帯テレビ電話１４１の音声データを、即時に、音量「１０」でイヤホンから発し、携帯テレビ１４２の音声データを、即時に、音量「３」でイヤホンから発する。
【００７２】
図１２の時刻Ｃでは、携帯メール端末１４３に、個人からのメールの着信があり、データ機器統合装置４には、携帯テレビ電話１４１および携帯テレビ１４２のデータに加えて、携帯メール端末１４３の個人からの着信のデータが入力される。携帯メール端末１４３の個人からのメール着信データに対応する音声は、図１１の規則に従って、「即時」に、「固定」の音量「７」で、イヤホンから発せられる。
【００７３】
図１２の時刻Ｄでは、メールの着信データが途絶えるため、対応する音声が消える。
【００７４】
図１２の時刻Ｅでは、携帯メール端末１４３に、ＭＬからのメールの着信があり、データ機器統合装置４には、携帯テレビ電話１４１および携帯テレビ１４２のデータに加えて、携帯メール端末１４３のＭＬからの着信のデータが入力される。このとき、図１１の規則によれば、携帯メール端末１４３のＭＬからの着信データの優先順位は３番となる。また、出力タイミングは、「優先順位が３番以下の場合は、優先順位が２番以上になった時点」となっている。したがって、ＭＬからの着信データに対応する音声は、優先順位が２番以上になるまでイヤホンから発せられない。
【００７５】
図１２の時刻Ｆでは、携帯テレビ電話１４１の通話が終了し、データ機器統合装置４に入力されるデータは、携帯テレビ１４２のデータと、携帯メール端末１４３のＭＬからの着信データとになる。すると、携帯メール端末１４３のＭＬからの着信データの優先順位が２番となるため、携帯メール端末１４３のＭＬからの着信データに対応する音声が、「固定」の音量「７」で、イヤホンから発せられる。
【００７６】
以上のとおり、本実施形態によれば、複数の音声データを重ねて発するので、ユーザは、最重要な情報を聞きつつ、その他の音楽等の音声も聞くことができる。
【００７７】
また、優先順位に応じて音声データの音量を変更するので、ユーザは、優先順位に応じた音量で情報を取得することができる。
【００７８】
なお、図１１に示される本実施形態の規則は、図５に示される第４の実施形態の規則と組み合わせて使用されてもよい。
【００７９】
また、提示態様決定部４６によって決定される提示態様は、上記第４、５の実施形態のものに限定されず、他のものであってもよい。例えば、優先順位が低い画像データについては、解像度、フレームレート、色数等を下げることとすれば、データ出力部４３のＣＰＵ負荷や通信帯域を削減することができる。また、データ出力の時間的順番を提示態様に含ませてもよい。また、提示態様は、画像や音声に限られず、触覚、味覚、臭覚等の他の情報、またはこれらの組み合わせであってもよい。また、ステレオなどで人間が擬似的に感じる音の到来方向により、または、音質を変化させることにより、データを区別することもできる。
【００８０】
また、提示態様の決定に使用される規則は、上記第４、５の実施形態のものに限られず、提示態様を決定することができれば、他のものであってもよい。例えば、必ずしも優先度と優先順位に対応する提示態様とを含むものである必要はなく、「常に、携帯テレビ電話１４１の画像は左上に、携帯テレビ１４２の画像は右上に、個人メール着信は左下に、ＭＬメール着信は右下に、即時に表示する。」との規則であってもよい。
【００８１】
（第６の実施形態）
本実施形態に係るデータ機器統合装置は、上記第４、５の実施形態に係るデータ機器統合装置とほとんど同じであるが、データの変更をデータ機器にさせることを特徴とするものである。以下、図面を用いて本実施形態について説明するが、第４、５の実施形態と共通する部分については説明を省略する。
【００８２】
図１３は、本実施形態に係るデータ機器統合装置５を含むデータ機器統合システムの全体構成を示すブロック図である。図１３において、データ機器統合システムは、データ機器統合装置５と、複数のデータ機器１５０とを有する。本実施形態においても、複数のデータ機器１５０は、携帯テレビ電話１５１、携帯テレビ１５２、および携帯メール端末１５３である。
【００８３】
データ機器統合装置５は、第４の実施形態と同様に、インタフェース部５１、提示態様決定部５６、およびデータ出力部５３を有する。
【００８４】
本実施形態では、データ出力部５３は、データ変更命令送信部５３ｂと、変更後データ受信部５３ｃとを備えている。ここで、データ変更命令送信部５３ｂは、提示態様決定部５６により決定された提示態様に従って、データ機器１５０に対し、データを変更させるための命令を送信するものである。変更後データ受信部５３ｃは、データ変更命令送信部５３ｂの命令に応じて変更されたデータをデータ機器１５０から受信するものである。
【００８５】
以下、上記構成を有するデータ機器統合装置５の動作について説明する。ここでは、データ出力部５３が、提示態様決定部５６から、画面サイズが「６４０×４８０」である携帯テレビ１５２のデータとともに、携帯テレビ１５２のデータの提示すべき画面サイズは「１６０×１２０」である旨の指示を受けた場合を例にとって具体的に説明する。
【００８６】
データ変更命令送信部５３ｂは、インタフェース部５１を介して、データ出力元の携帯テレビ１５２に対して、画面サイズを「１６０×１２０」に変更すべき旨のデータ変更命令を送信する。携帯テレビ１５２は、この命令に応じて画面サイズを「１６０×１２０」に変更し、変更後のデータをデータ機器統合装置５に送信する。この変更後のデータは、インタフェース部５１および提示態様決定部５６を介して、変更後データ受信部５３ｃに入力される。
【００８７】
ここで、データ機器１５０には、データ変更命令を受信する機能、データ変更命令に従ってデータを変更する機能、および変更後のデータを送信する機能が必要とされるが、これらの機能は既存のものであってもよいし、特別に設けられたものであってもよい。
【００８８】
以上のとおり、本実施形態に係るデータ機器統合装置５によれば、データの変更をデータ機器１５０に実行させるので、データ機器統合装置５側でデータ変更を行う必要がなくなり、データ機器統合装置５の構成の簡易化、処理および消費電力の削減を図ることができる。
【００８９】
なお、データ変更命令が、インタフェース部５１により受信されたデータ機器１５０のデータを含み、データ機器１５０がデータ変更命令に含まれる当該データを変更することとしてもよい。
【００９０】
（第７の実施形態）
図１４は、本実施形態に係るデータ機器統合装置６を含むデータ機器統合システムの全体構成を示すブロック図である。図１４において、データ機器統合システムは、データ機器統合装置６と、複数のデータ機器１６０とを有する。本実施形態では、複数のデータ機器１６０は、音声録音機１６１およびデジタルカメラ１６２である。
【００９１】
データ機器統合装置６は、インタフェース部６１と入力受付部６７とを有している。この入力受付部６７は、データ機器１６０に対する操作命令および入力データを受け付けるものであり、本実施形態では、操作命令を受け付ける操作ボタンと、操作に関する情報を表示するモニタと、画像データを受け付ける画像入力端子と、音声データを受け付ける音声入力端子とからなる。本実施形態では、インタフェース部６１は、入力受付部６７により受け付けられた操作命令および入力データをデータ機器１６０に送信する送信手段として機能する。
【００９２】
以下、上記構成を有するデータ機器統合装置６の動作について説明する。入力受付部６７は、インタフェース部６１を介してデータ機器１６０と通信を行い、現在操作可能なデータ機器１６０を認識する。そして、ユーザに対しデータ機器１６０の選択を促す画面をモニタに表示する。ここで、例えば、操作ボタンを介してユーザにより音声録音機１６１が選択されると、入力受付部６７は、音声録音機１６１の操作メニューを表示する。ついで、ユーザにより「録音」が選択されると、入力受付部６７は、インタフェース部６１を介して、音声録音機１６１に対して、操作命令「録音」とともに、音声入力端子から入力された音声データを送信する。音声録音機１６１は、受信した操作命令を解釈し、受信した音声データを録音する。この場合において、操作の容易化の観点より、ユーザが入力した結果は、モニタに表示されることが好ましい。また、入力受付部６７とデータ機器１６０とで適時に通信を行い、データ機器１６０の動作状態等をモニタに表示するのも好ましい。
【００９３】
ここで、データ機器１６０には、操作命令または入力データを受信する機能と、操作命令に従って動作する機能とが必要とされるが、これらの機能は既存のものであってもよいし、特別に設けられたものであってもよい。
【００９４】
本実施形態に係るデータ機器統合装置６によれば、ユーザは、入力受付部６７を操作することによって複数のデータ機器１６０を操作することができるので、それぞれのデータ機器１６０を別々に操作する必要がなくなる。この結果、複数のデータ機器１６０の操作を容易化することができる。
【００９５】
また、入力受付部６７が音声データ等を受け付けるので、複数のデータ機器１６０に対する音声データ等の入力が容易となる。
【００９６】
なお、本実施形態では、ユーザが操作命令等を送信すべきデータ機器１６０を特定することとしているが、これに限定されない。例えば、入力受付部６７が、操作命令等に応じてデータ機器１６０を特定することとしてもよい。また、操作命令等をすべてのデータ機器１６０に送信し、各データ機器１６０が操作命令等に応じて動作することとしてもよい。
【００９７】
また、入力受付部６７は、本実施形態のものに限られず、操作命令または入力データを受け付けることができれば、他の構成であってもよい。例えば、モニタは必須ではなく、入力受付部６７は、各操作命令に対応する操作ボタンを備えるものであってもよい。また、マイクやカメラを備えるものであってもよい。
【００９８】
また、第１〜６のいずれかの実施形態に係るデータ機器統合装置において、入力受付部６７を追加し、インタフェース部を入力受付部６７により受け付けられた操作命令および入力データをデータ機器に送信する送信手段として機能させることとしてもよい。このように構成されたデータ機器統合装置によれば、複数のデータ機器からのデータの取得、複数のデータ機器へのデータの入力、および複数のデータ機器に対する操作を１つの装置で行うことができるので、ユーザは複数のデータ機器をより一層容易に扱うことができる。
【００９９】
（第８の実施形態）
本実施形態に係るデータ機器統合装置は、上記第１〜７の実施形態に係るデータ機器統合装置とほとんど同じであるが、インタフェース部により受信されたデータまたは入力受付部により受け付けられた入力データに応じて、データ機器に対して動作命令を送信することを特徴とするものである。以下、図面を用いて本実施形態について説明するが、第１〜７の実施形態と共通する部分については説明を省略する。
【０１００】
図１５は、本実施形態に係るデータ機器統合装置７を含むデータ機器統合システムの全体構成を示すブロック図である。図１５において、データ機器統合システムは、データ機器統合装置７と、複数のデータ機器１７０とを有する。本実施形態では、複数のデータ機器１７０は、携帯テレビ電話１７１、携帯テレビ１７２、および携帯ビデオ１７３である。
【０１０１】
データ機器統合装置７は、インタフェース部７１、データ選択部７２、データ出力部７３、および入力受付部７７を有する他に、さらに、動作命令送信部７８を有している。この動作命令送信部７８は、予め設定された規則に従って、インタフェース部７１により受信されたデータまたは入力受付部７７により受け付けられた入力データに応じて、データ機器１７０に対して動作命令を送信するものである。
【０１０２】
以下、上記のデータ機器統合装置７の動作について具体的に説明する。
まず、動作命令送信部７８が、予め設定された規則として、「携帯テレビを使用中に携帯テレビ電話に着信があった場合は、携帯テレビの内容を表示せずに、携帯ビデオにより該内容を録画し、携帯テレビ電話の通話終了後の５秒後に、携帯ビデオによる録画を続けながら、携帯ビデオに録画された内容を再生する。」との規則を有する場合を例にとって説明する。
【０１０３】
この場合において、インタフェース部７１が、携帯テレビ１７２のデータを継続的に受信しているときに、携帯テレビ電話１７１からの着信データを受信すると、このようなデータ受信パターンは規則の条件の部分に一致しているので、動作命令送信部７８は、規則に従って、携帯テレビ１７２および携帯ビデオ１７３に対して動作命令を送信する。携帯テレビ１７２および携帯ビデオ１７３は、受信した動作命令を解釈し、動作命令に従った動作を行う。具体的には、携帯テレビ１７２は、画像データを携帯ビデオ１７３に送信し、携帯ビデオ１７３は、携帯テレビ１７２から受信した画像データを録画する。その後、携帯テレビ電話１７１の通話が終了すると、動作命令送信部７８は、規則に従って、携帯ビデオ１７３に動作命令を送信する。携帯ビデオ１７３は、動作命令に従って、通話終了後の５秒後に、録画を続けながら録画された内容を再生する。
【０１０４】
次に、動作命令送信部７８が、予め設定された規則として、「入力受付部７７に画像データが入力された場合は、携帯ビデオにより画像データを録画する。」との規則を有する場合を例にとって説明する。
【０１０５】
この場合において、入力受付部７７に画像データが入力されると、動作命令送信部７８は、規則の条件の部分に一致しているので、規則に従って、携帯ビデオ１７３に対して、入力受付部７７により受け付けられた画像データを録画する旨の動作命令を送信する。
【０１０６】
ここで、データ機器１７０には、動作命令を受信する機能と、動作命令に従って動作する機能とが必要とされるが、これらの機能は既存のものであってもよいし、特別に設けられたものであってもよい。
【０１０７】
本実施形態に係るデータ機器統合装置７によれば、インタフェース部７１により受信されたデータまたは入力受付部７７により受け付けられた入力データに応じて、自動的に、データ機器１７０に対して動作命令を送信するので、ユーザの操作を減らすことができる。
【０１０８】
なお、動作命令送信部７８により用いられる規則は、本実施形態のものに限定されないことは言うまでもない。
【０１０９】
（第９の実施形態）
本実施形態に係るデータ機器統合装置は、上記第７の実施形態に係るデータ機器統合装置とほとんど同じであるが、入力データを変更する入力データ変更部をさらに有することを特徴とするものである。以下、図面を用いて本実施形態について説明するが、第７の実施形態と共通する部分については説明を省略する。
【０１１０】
図１６は、本実施形態に係るデータ機器統合装置８を含むデータ機器統合システムの全体構成を示すブロック図である。図１６において、データ機器統合システムは、データ機器統合装置８と、複数のデータ機器１８１、１８２とを有する。  データ機器統合装置８は、インタフェース部８１、入力受付部８７の他に、入力データ変更部８９をさらに有する。
【０１１１】
入力データ変更部８９は、予め設定された規則に従って、入力受付部８７により受け付けられた入力データを変更するものである。例えば、入力データ変更部８９は、入力データである画像データや音声データがデータ機器１８１、１８２の規格に沿わない場合に、入力データを規格に適合するデータに変更する。ここで、データの規格は、データ形式や画像データのサイズ等である。ただし、上記の規則は特に限定されない。また、規則の設定方法は特に限定されないが、例えば、入力データ変更部８９は、データ機器１８１、１８２から画像データ等の規格に関する情報を受信し、当該情報に基づいて規則を生成することができる。入力データ変更部８９により変更されたデータは、インタフェース部８１を介してデータ機器１８１、１８２に送信される。
【０１１２】
本実施形態に係るデータ機器統合装置８によれば、入力データは入力データ変更部８９によって自動的に変更される。この結果、ユーザの入力データの変更に関する操作を減らすことが可能となる。
【０１１３】
（第１０の実施形態）
本実施形態に係るデータ機器統合装置は、上記第９の実施形態に係るデータ機器統合装置とほとんど同じであるが、入力データの変更をデータ機器にさせることを特徴とするものである。以下、図面を用いて本実施形態について説明するが、第９の実施形態と共通する部分については説明を省略する。
【０１１４】
図１７は、本実施形態に係るデータ機器統合装置９を含むデータ機器統合システムの全体構成を示すブロック図である。図１７において、データ機器統合システムは、データ機器統合装置９と、複数のデータ機器１９１、１９２とを有する。  データ機器統合装置９は、インタフェース部９１、入力受付部９７の他に、入力データ変更命令送信部９９をさらに有する。
【０１１５】
入力データ変更命令送信部９９は、予め設定された規則に従って、データ機器１９１、１９２に対して入力データを変更させるための入力データ変更命令を生成し、送信するものである。例えば、入力データ変更命令送信部９９は、入力データである画像データや音声データがデータ機器１９１、１９２の規格に沿わない場合に、入力データを規格に適合するデータに変更させるための命令を生成する。ただし、上記の規則は特に限定されない。入力データ変更命令送信部９９により生成された入力データ変更命令は、インタフェース部９１を介してデータ機器１９１、１９２に送信される。データ機器１９１、１９２は、入力データ変更命令に応じて入力データを変更する。
【０１１６】
ここで、データ機器１９１、１９２には、入力データ変更命令を受信する機能および入力データ変更命令に従って入力データを変更する機能が必要とされるが、これらの機能は既存のものであってもよいし、特別に設けられたものであってもよい。
【０１１７】
以上のとおり、本実施形態に係るデータ機器統合装置９によれば、入力データの変更をデータ機器１９１、１９２に実行させるので、データ機器統合装置９側で入力データの変更を行う必要がなくなり、データ機器統合装置９の構成の簡易化、処理および消費電力の削減を図ることができる。
【０１１８】
以上、本発明に係るデータ機器統合装置についての好適な実施形態を示したが、本発明は、これら第１〜１０の実施形態に限定されない。
【０１１９】
例えば、上記の実施形態では、データ機器統合装置は物理的に一体となっているが、物理的に分かれた複数の装置で構成されてもよい。この場合、複数の装置の接続方式は、有線でも無線でもよい。また、データ機器統合装置が複数の装置から構成される場合、入力受付部に相当する装置、データ出力部に相当する装置は、１台であっても複数台であってもよい。また、データ機器統合装置とデータ機器とが物理的に一体となっていてもよい。すなわち、各機能が実現されればよく、データ機器統合装置の物理的な構成態様は特に限定されない。また、各データの流れも特に限定されない。
【０１２０】
また、データ選択部１２、データ変更部２４、データ変更命令送信部３５、提示態様決定部４６、動作命令送信部７８、入力データ変更部８９、入力データ変更命令送信部９９等により用いられる規則は、上記実施形態のものに限定されない。例えば、優先度、提示態様、動作命令等は、データ機器毎だけでなく、データ機器上のアプリケーション毎、データの属性毎に、設定されてもよい。ここで、アプリケーションとは、例えば、パソコンの音声再生ソフト、メールクライアント等である。また、データの属性とは、例えば、携帯電話における発信電話番号、メールクライアントにおけるメールの差出人、キーワードを含むか否か、チャットクライアントにおけるユーザ名等である。また、携帯テレビの映像がコマーシャル中か否かを規則の条件に設定することも可能である。また、これらの規則は、予め不揮発性のメモリに格納された固定的なものであってもよいし、ユーザ等によって動的に設定されるものであってもよい。すなわち、規則の設定方法は、特に限定されない。
【０１２１】
また、データ出力部のモニタには、小画面のタイトルバー、枠、ユーザインタフェースとしてのコントロール画面等が表示されてもよい。
【０１２２】
また、データ機器から出力されるデータは、アナログであっても、デジタルであってもよい。ここで、データ機器統合装置において、アナログのデータは、アナログのまま処理されてもよいし、デジタル変換後に処理されてもよい。
【０１２３】
また、データ出力部は、モニタやイヤホンに代えて、データを外部のモニタ等の外部装置に出力する出力インタフェースを備えるものであってもよい。
【０１２４】
【発明の効果】
本発明によれば、予め設定された規則に従って、複数のデータ機器から受信したデータのうち、１のデータ機器から出力されたデータを選択して出力するので、複数のデータ機器からのデータの取得を容易化することができる。
【０１２５】
また、予め設定された規則に従って、各データ機器からのデータ毎の提示態様を決定し、決定された提示態様に従って各データを出力するので、複数のデータ機器からのデータの取得を容易化することができる。
【０１２６】
また、操作命令または入力データを受け付け、受け付けた操作命令等をデータ機器に送信するので、複数のデータ機器に対する操作を容易化することができる。
【図面の簡単な説明】
【図１】第１の実施形態に係るデータ機器統合装置１を含むデータ機器統合システムの全体構成を示すブロック図である。
【図２】第２の実施形態に係るデータ機器統合装置２を含むデータ機器統合システムの全体構成を示すブロック図である。
【図３】第３の実施形態に係るデータ機器統合装置３を含むデータ機器統合システムの全体構成を示すブロック図である。
【図４】第４の実施形態に係るデータ機器統合装置４を含むデータ機器統合システムの全体構成を示すブロック図である。
【図５】第４の実施形態において提示態様決定部４６により用いられる規則を示す図である。
【図６】第４の実施形態における、各データ機器１４０のデータ出力の時間推移を示す図である。
【図７】図６の時刻Ａにおけるモニタの表示態様を示す図である。
【図８】図６の時刻Ｂ、Ｄ、Ｅにおけるモニタの表示態様を示す図である。
【図９】図６の時刻Ｃにおけるモニタの表示態様を示す図である。
【図１０】図６の時刻Ｆにおけるモニタの表示態様を示す図である。
【図１１】第５の実施形態において提示態様決定部４６により用いられる規則を示す図である。
【図１２】第５の実施形態における、各データ機器１４０のデータ出力の時間推移を示す図である。
【図１３】第６の実施形態に係るデータ機器統合装置５を含むデータ機器統合システムの全体構成を示すブロック図である。
【図１４】第７の実施形態に係るデータ機器統合装置６を含むデータ機器統合システムの全体構成を示すブロック図である。
【図１５】第８の実施形態に係るデータ機器統合装置７を含むデータ機器統合システムの全体構成を示すブロック図である。
【図１６】第９の実施形態に係るデータ機器統合装置８を含むデータ機器統合システムの全体構成を示すブロック図である。
【図１７】第１０の実施形態に係るデータ機器統合装置９を含むデータ機器統合システムの全体構成を示すブロック図である。
【符号の説明】
１、２、３、４、５、６、７、８、９  データ機器統合装置
１１、２１、３１、４１、５１、６１、７１、８１、９１  インタフェース部
１１ａ，１１ｂ  データ入力端子
１２、２２、３２、６２、７２  データ選択部
１３、２３、３３、４３、５３、６３、７３  データ出力部
４３ａ  データ変更部
５３ｂ  データ変更命令送信部
５３ｃ  変更後データ受信部
２４  データ変更部
３５  データ変更命令送信部
４６、５６  提示態様決定部
６７、７７、８７、９７  入力受付部
７８  動作命令送信部
８９  入力データ変更部
９９  入力データ変更命令送信部
１１０、１２０、１３１、１３２、１４０、１５０、１６０、１７０、１８１、１８２、１９１、１９２  データ機器
１１１  携帯電話
１１２  携帯テープ再生器
１２１、１７１  携帯テレビ電話
１２２、１７２  携帯テレビ
１４１、１５１  携帯テレビ電話
１４１ａ  動画
１４２、１５２  携帯テレビ
１４２ａ、１４２ｂ  動画
１４３、１５３  携帯メール端末
１４３ａ  個人メール着信画面
１４３ｂ  ＭＬメール着信画面
１６１  音声録音機
１６２  デジタルカメラ
１７３  携帯ビデオ
【図１】
2004349800.tif 000003
【図２】
2004349800.tif 000004
【図３】
2004349800.tif 000005
【図４】
2004349800.tif 000006
【図５】
2004349800.tif 000007
【図６】
2004349800.tif 000008
【図７】
2004349800.tif 000009
【図８】
2004349800.tif 000010
【図９】
2004349800.tif 000011
【図１０】
2004349800.tif 000012
【図１１】
2004349800.tif 000013
【図１２】
2004349800.tif 000014
【図１３】
2004349800.tif 000015
【図１４】
2004349800.tif 000016
【図１５】
2004349800.tif 000017
【図１６】
2004349800.tif 000018
【図１７】
2004349800.tif 000019